(57)【要約】【課題】軸体２の端部に冠体４が取り付けられ、その冠体４に対して摩擦体５が取り付けられる熱変色性筆記具１において、組み立てが容易であり、冠体４が脱落し難い構造の熱変色性筆記具１を得る。【解決手段】端部に開口を備えた軸体２と、筒状で軸体２の開口２ｂに挿着される冠体４と、冠体４に挿着される摩擦体５とを備え、冠体４の側壁４１に、軸体２への挿着時において該軸体２の内面に形成された突部２ｃを乗り越えて該突部２ｃに係止される複数の突起４１ｂが形成され、該突起４１ｂの間に軸体２の軸心に沿った方向へ延びる複数の窓部４１ａが設けられ、冠体４の内端に止め栓６が挿着され、且つ冠体４の外端に摩擦体５が挿着されることにより、冠体４の側壁４１が当該冠体４の中心方向へ向かって撓むことが防止されることを特徴とした熱変色性筆記具１。【選択図】図２
2020082702.tif 000002
【特許請求の範囲】
【請求項１】
熱変色性インキの筆跡を摩擦してその際に生じる摩擦熱で該筆跡を熱変色可能な熱変色性筆記具であって、
端部に開口を備えた軸体と、筒状で前記軸体の開口に挿着される冠体と、前記冠体に挿着される摩擦体とを備え、
前記冠体の側壁に、前記軸体への挿着時において該軸体の内面に形成された突部を乗り越えて該突部に係止される複数の突起が形成され、該突起の間に前記軸体の軸心に沿った方向へ延びる複数の窓部が設けられ、
前記冠体の内端に止め栓が挿着され、且つ該冠体の外端に摩擦体が挿着されることにより、該冠体の側壁が当該冠体の中心方向へ向かって撓むことが防止されることを特徴とした熱変色性筆記具。
【請求項２】
前記窓部が長孔状であり、前記止め栓の外面が前記長孔状の窓部の内端側における半円の最大径部より内側で前記冠体の内面に接し、
前記摩擦体の外面が前記長孔状の窓部の外端側における半円の最大径部より内側で前記冠体の内面に接することを特徴とした請求項１に記載の熱変色性筆記具。
【発明の詳細な説明】
【技術分野】
【０００１】
本発明は、熱変色性インキの筆跡を摩擦してその際に生じる摩擦熱で該筆跡を熱変色可能な熱変色性筆記具に関する。
【背景技術】
【０００２】
従来、熱変色性筆記具は、例えば、特許文献１（特開２００３−２０６４３２号公報
）に記載されているように、筆記具を構成する軸筒本体あるいはキャップ本体など軸体の端部に摩擦体を装着して利便性を向上させたものが多く存在している。
前記熱変色性筆記具の摩擦体は、弾性材料（ゴム、エラストマー）で構成され、紙面に押し付けながら往復動をさせることから、軸体の後端にしっかりと固定させる必要がある。また、軸筒本体の後端に尾冠を配したものや、キャップ本体の前端に頭冠を配したものなど、軸体に装着した冠体に摩擦体を固定する場合には、その冠体に対して摩擦体をしっかり固定させると共に、軸体に対して冠体をしっかり固定させる必要がある。
【０００３】
軸体に対して冠体を固定する方法としては、一般的に、螺合や嵌合あるいは接着等により固定が行われている。軸体に対して冠体を嵌合で固定する構造は、容易な組み立てが可能であることから、広く利用されているが、その反面、嵌合させる部材間の嵌合状態によっては、嵌合力が弱まったり、部材間にガタつきが生じてしまうことから、予め嵌合時における部材間のラップ代を大きくとることで嵌合力を強くし、その対応を図ることが多い。しかしながら、単に嵌合力を強くするために嵌合部分のラップ代を大きくした場合には、組み立てがし難くなるという、嵌合による組み立てのメリットを消してしまうことになり、また、軸体や冠体を、金属や硬質樹脂で形成した場合には、嵌合時において部材の変形がし難くなることから、組立性が悪くなってしまう。
【先行技術文献】
【特許文献】
【０００４】
【特許文献１】特開２００３−２０６４３２号公報
【発明の概要】
【発明が解決しようとする課題】
【０００５】
本発明では、軸体の端部に冠体が取り付けられ、その冠体に対して摩擦体が取り付けられる熱変色性筆記具において、組み立てが容易であり、冠体が脱落し難い構造の熱変色性筆記具を得ることを目的とした。
【課題を解決するための手段】
【０００６】
本発明は、
「１．熱変色性インキの筆跡を摩擦してその際に生じる摩擦熱で該筆跡を熱変色可能な熱変色性筆記具であって、
端部に開口を備えた軸体と、筒状で前記軸体の開口に挿着される冠体と、前記冠体に挿着される摩擦体とを備え、
前記冠体の側壁に、前記軸体への挿着時において該軸体の内面に形成された突部を乗り越えて該突部に係止される複数の突起が形成され、該突起の間に前記軸体の軸心に沿った方向へ延びる複数の窓部が設けられ、
前記冠体の内端に止め栓が挿着され、且つ該冠体の外端に摩擦体が挿着されることにより、該冠体の側壁が当該冠体の中心方向へ向かって撓むことが防止されることを特徴とした熱変色性筆記具。
２．前記窓部が長孔状であり、前記止め栓の外面が前記長孔状の窓部の内端側における半円の最大径部より内側で前記冠体の内面に接し、
前記摩擦体の外面が前記長孔状の窓部の外端側における半円の最大径部より内側で前記冠体の内面に接することを特徴とした前記１項に記載の熱変色性筆記具。」である。
【０００７】
本発明では、軸体が軸筒本体の場合には、ペン先がある方（前方）を内側と表現し、その反対側を外側と表現する。つまり尾冠がある方向が外側となる。
また、軸体がキャップの場合には、軸筒本体のペン先を挿着する開口がある方（後方）を内側と表現し、その反対側を外側と表現する。つまり頭冠がある方向が外側となる。
本発明によれば、組立時において、軸筒本体あるいはキャップ本体などの軸体に対し、尾冠あるいは頭冠などの冠体を挿着する際、冠体に形成された軸心に沿った方向へ延びる複数の窓部の存在により側壁が撓み易くなり、結果、側壁に設けた複数の突起が軸体の内面に形成された突部を乗り越える際に、冠体の側壁が軸径方向における内方へ撓むことで軸体への挿着が行い易くなる。
【０００８】
また、冠体の内端に止め栓を挿着し、冠体の外端に摩擦体を挿着することにより、冠体の側壁が内方へ撓むことが防止され、軸体に対して冠体がしっかりと固定された状態となる。したがって、熱変色性筆記具が組み立てられた状態で、摩擦体で摩擦を行う際に、冠体が脱落してしまうことが防止される。
尚、冠体の端部のいずれか一方だけに止め栓あるいは摩擦体を挿着しただけでは、冠体の側壁が該冠体の中心方向へ向かって撓むことができるようにした場合には、軸体の奥の方に位置される冠体の内端に止め栓を挿着した状態で該冠体を軸体に挿着し、その後で軸体に挿着された冠体に摩擦体を挿着することにより、組み立てがし易いものとなる。
【０００９】
軸体の材質は、真鍮、アルミ、ポリカーボネート樹脂、ＰＭＭＡ樹脂（ポリメタクリル酸メチル）、アクリロニトリルスチレン樹脂、ＡＢＳ樹脂（アクリロニトリル−ブタジエン−スチレン共重合体）、ポロプロピレン樹脂など、筆記具の軸筒本体やキャップ本体で、従来より使用されている材質が挙げられるが、特に制限されるものではない。
冠体及び止め栓の材質も前述の軸体同様の材質を使用できる。
冠体の側壁に形成する窓部は、長孔状や楕円状など、軸心に沿った方向へ孔が延びる形状とすることで、複数の窓部の間に形成される側壁が冠体の中心方向に向かって撓み易いものとなる。
摩擦体の材質は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）など、低摩耗性の弾性材料で成形することが好適である。
摩擦体の硬度は、ショアＡ硬度４０以上、１００以下とすることが好ましく、冠体への挿着のし易さや、冠体に挿着した状態で該冠体の側壁が当該冠体の中心方向へ向かって撓むことがより防止されるよう、ショアＡ硬度６０以上、８０以下とすることがより好ましい。尚、摩擦体の肉厚は、冠体に挿着した状態で、該冠体の側壁が当該冠体の中心方向へ向かって撓むことが防止できる厚みとする。
【００１０】
さらに、冠体の側壁の窓部を長孔状とし、止め栓の外面が長孔状の窓部の内端側における半円の最大外径部より内側で冠体の内面に接するようにし、摩擦体の外面が長孔状の貫通孔の外端側における半円の最大外径部より内側で冠体の内面に接する構成とすることにより、止め栓が冠体の側壁における窓部に重なる面積が少ない、つまり複数の窓部間の側壁を中から支持する面積が小さい状態になることから、冠体の内端に止め栓が挿着された状態において側壁が当該冠体の中心方向へ向かって撓む変形が制限され難くなり、軸体への冠体の挿着が行い易く、摩擦体が冠体の側壁における貫通孔に重なる面積が多い、つまり複数の窓部間の側壁を中から支持する面積が大きい状態になることから、冠体の外端部に摩擦体が挿着された状態において側壁が当該冠体の中心方向へ向かって撓む変形が制限され、軸体から冠体が脱落し難くなる。
【００１１】
本発明の熱変色性筆記具によれば、軸体に挿着された冠体の内端に挿着された止め栓に対し、軸体に収容したボールペンレフィルなどの筆記体を当接させた場合でも、筆圧による反力で冠体が脱落することはなく、摩擦体で摩擦を行う場合でも摩擦体が冠体ごと脱落してしまうことが防止される。
【発明の効果】
【００１２】
本発明では、軸体の端部に冠体が取り付けられ、その冠体に対して摩擦体が取り付けられる熱変色性筆記具において、組み立てが容易であり、冠体が脱落し難い構造の熱変色性筆記具が得られる。
【図面の簡単な説明】
【００１３】
【図１】本実施形態の熱変色性ボールペンの縦断面図である。
【図２】図１の筆記具の要部を拡大した要部拡大縦断面図である。
【図３】図２のＡ−Ａ線断面図である。
【図４】本実施形態の熱変色性ボールペンの組立工程を示す図であり、図４Ａは、組立前の状態を示す図で、図４Ｂは、尾冠に止め栓を挿着した状態の図で、図４Ｃは、軸筒に尾冠を挿着した状態の図で、図４Ｄは、尾冠に摩擦体を挿着した状態の図である。
【発明を実施するための形態】
【００１４】
次に、図面を参照しながら説明を行うが、本発明は以下の実施形態に限定されるもので
はない。本実施形態では、軸筒内にボールペンレフィルを収容した熱変色性ボールペンについて説明を行うが、本発明は以下の実施形態に限定されるものではない。
図の説明においては、ペン先がある方（前方）を内側と表現し、その反対側（後方）を外側と表現する。また、説明を分かりやすくするために、図面中の同様の部材、同様の部分については同じ符号を付してある。
【００１５】
図１は、本実施形態の熱変色性ボールペンの縦断面図である。図２は、図１の筆記具の要部を拡大した要部拡大縦断面図である。図３は、図２のＡ−Ａ線断面図である。図４は、本実施形態の熱変色性ボールペンの組立工程を示す図である。
【００１６】
図１に示す熱変色性ボールペン１は、軸筒２の内部にボールペンレフィル３を収容しており、軸筒２の前端開口２ａよりボールペンレフィル３のペン先３ａを突出させている。軸筒２は、前軸２１と後軸２２とを螺合して構成してある。
軸筒２の後端開口２ｂには、筒状で両端が開口する尾冠４が挿着され、尾冠４に形成された貫通孔４０の外端４０ａには筒状で両端が開口する摩擦体５が挿着され、内端４０ｂには止め栓６が挿着されている。
本実施形態の尾冠４はＡＢＳ樹脂（アクリロニトリル−ブタジエン−スチレン共重合体）で成形され、摩擦体５はＳＥＢＳ樹脂（スチレン−エチレン−ブチレン−スチレン共重合体）で成形され、止め栓６はポリエチレン樹脂で成形されている。摩擦体５の硬度はショアＡ硬度７０である。
【００１７】
尾冠４は、軸筒２の後端開口２ｂに挿着される小径の挿着部４ａと当該軸筒２から露出する大径の鍔部４ｂとを備える。摩擦体５は、尾冠４の貫通孔４０に挿着される小径の挿着部５ａと当該尾冠４から露出する大径の鍔部５ｂとを備える。止め栓６は、尾冠４の貫通孔４０に挿着される小径の挿着部６ａと当該尾冠４から露出する大径の露出部６ｂとを備える。
尾冠４の挿着部４ａにおける側壁４１には、軸心に沿った方向に延びる二つの長孔状の窓部４１ａが互いに対向する位置に設けられている。また側壁４１には、二つの突部４１ｂが互いに対向する位置に設けられている。二つの突部４１ｂは、軸筒２の後端開口２ｂの内面に形成された内鍔状の突部２ｃに係合され、尾冠４が軸筒２に固定される。
摩擦体５の前方には、円環状の凹部５ｃが設けられており、尾冠４の貫通孔４０の内面に形成された内段４ｃと嵌合され、摩擦体５は尾冠４に固定される。また、摩擦体５には、貫通孔５ｄが設けられている。
【００１８】
次に、図４を用いて、熱変色性ボールペン１の組立について説明を行う。
図４Ａは、組立前の状態を示す図であり、図に示す通り、側壁４１に設けた二つの長孔状の窓部４１ａの存在により、側壁４１が内方に撓み易くなっている。
図４Ｂは、尾冠４に止め栓６を挿着した状態の図であり、挿着部６ａが尾冠４に挿着され、挿着部６ａの外端の一部が尾冠４の窓部４１ａより露出している。この状態でも尾冠４は、貫通孔４０の外端４０ａ側が開放されており、また、止め栓６の外面が長孔状の窓部４１ａの内端側における半円の最大径部４１１ａより内側で尾冠４の内面に接することで、当該窓部４１ａと重なる面積が少ない、つまり複数の窓部４１ａ間の側壁４１を中から支持する面積が小さい状態になることから、尾冠４の側壁４１が該尾冠４の中心方向へ向かって撓む変形が制限され難くなり、軸筒２に尾冠４を挿着する際に、側壁４１に設けた突部４１ｂが軸筒２の突部２ｃを乗り越え易いものとなる。
図４Ｃは、軸筒２に尾冠４を挿着した状態の図である。この状態では、前述の通り、尾冠４の側壁４１が該尾冠４の中心方向へ向かって撓む変形が制限され難くなっている。
図４Ｄは、尾冠４に摩擦体５を挿着した状態の図であり、挿着部５ａが尾冠４に挿着され、挿着部５ａの内端の一部が尾冠４の窓部４１ａより露出している。この状態で尾冠４は、貫通孔４０の両端が閉塞されており、また、摩擦体５の外面が長孔状の窓部４１ａの半円の外端側における最大径部４１２ａより内側で冠体４の内面に接することで該窓部４１ａと重なる面積が多い、つまり複数の窓部４１ａ間の側壁４１を中から支持する面積が大きい状態になることから、尾冠４の外端部に摩擦体５が挿着された状態における側壁４１が該尾冠４の中心方向へ向かって撓む変形が制限され、軸体２から尾冠４が脱落し難くなる。
尚、図２に示すように、尾冠４の貫通孔４０の内面に形成された内段４ｃには、外端側から内端側へ向かって中心方向に漸次縮径する傾斜面４ｄが形成されており、摩擦体５の挿着がし易くなる。また、内段４ｃの内端には鋭角な角部４ｅが設けられており、尾冠４に挿着した状態では角部４ｅが摩擦体５の凹部５ｃに食い込み摩擦体５が外れ難くなる。
【００１９】
本実施形態の熱変色性ボールペン１は、図１及び図２に示すように、ボールペンレフィル３がコイルスプリング７で後方へ弾発され、ボールペンレフィル３の後端部３ｂが止め栓６に当接されるが、尾冠４が軸筒２から脱落することはなく、筆記時においてペン先３ａに筆圧が掛かり、ボールペンレフィル３が後方へ付勢された状態でも、摩擦体５の挿着部５ａが尾冠４の側壁４１を中から支持していることから、当該側壁４１が尾冠４の中心方向へ向かって撓むことがなく、尾冠４の突部４１ｂと軸筒２の内鍔２ｃとの係合状態が維持され、軸体２から冠体４が脱落することが防止される。
【００２０】
また、本実施形態の熱変色性ボールペン１は、筆記した熱変色性インキの筆跡を摩擦体５で摩擦する際、紙面に対して摩擦体５を押し付けながら往復動させた場合でも、前述の通り摩擦体５が尾冠４から脱落し難く、尾冠４も軸筒２から脱落し難い構造である。
【符号の説明】
【００２１】
１…熱変色性ボールペン、
２…軸筒、２ａ…前端開口、２ｂ…後端開口、２ｃ…突部、
２１…前軸、２２…後軸、
３…ボールペンレフィル、３ａ…ペン先、３ｂ…後端部、
４…尾冠、４ａ…挿着部、４ｂ…鍔部、４ｃ…内段、４ｄ…傾斜面、４ｅ…鋭角な角部、
４０…貫通孔、４０ａ…外端部、４０ｂ…内端部、
４１…側壁、４１ａ…窓部、４１１ａ…半円の最大径部、４１２ａ…半円の最大径部、
４１ｂ…突起、
５…摩擦体、５ａ…挿着部、５ｂ…鍔部、５ｃ…凹部、５ｄ…貫通孔、
６…止め栓、６ａ…挿着部、６ｂ…露出部、
７…コイルスプリング。
【図１】
2020082702.tif 000003
【図２】
2020082702.tif 000004
【図３】
2020082702.tif 000005
【図４】
2020082702.tif 000006